Podtech/llm-jp-corpus-v4-ja_patent huggingface dataset:
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
開閉可能な開閉部と、遊技領域が形成される遊技盤とを具備し、遊技領域に設けられる受入口に遊技球が入球したことによる抽選の結果に基づいて遊技の進行を行うことができる遊技機であって、
電子部品が実装される特定基板と、
第１鍵の操作によって第１の操作を行うことができる第１の装置と、
前記第１鍵とは別の第２鍵の操作によって第２の操作を行うことができると共に前記第２鍵の操作による信号ラインが電気的に前記電子部品に接続される第２の装置と、
を備え、
前記第１の装置は、当該遊技機の前面側から接触可能な箇所に設けられ、当該第１の装置の筐体が電気的に接地側へ接続され、
前記第２の装置は、当該遊技機の前面側から接触不能な箇所に設けられ、当該第２の装置の筐体が電気的に接地側へ接続されず絶縁されるものであり、
さらに、前記第２の装置は前記遊技盤の裏面側に設けられ、
前記特定基板は、遊技の進行を制御する遊技制御部を有し、
前記第２の操作は、前記遊技制御部による遊技の制御に関する設定値を設定する際に行われる操作であり、
前記遊技制御部は、当該遊技機の電源が投入される際に、前記設定値を設定可能な設定状態に制御可能である
ことを特徴とする遊技機。
【手続補正２】
【補正対象書類名】明細書
【補正対象項目名】０００２
【補正方法】変更
【補正の内容】
【０００２】
従来より、遊技の制御を行う主制御基板がケースに収容された状態で裏側に配置される遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−２１４９７５号公報（段落［００３０］、段落［００３１］、及び図２）
【手続補正４】
【補正対象書類名】明細書
【補正対象項目名】０００４
【補正方法】変更
【補正の内容】
【０００４】
ところで、特許文献１に記載される遊技機のように、主制御基板がケースに収容されているものの、例えば、静電気放電によるノイズの影響を受けると、主制御基板のように遊技機の制御や管理を行う重要な基板が誤動作する可能性があり、遊技機に不具合が発生すると、遊技の進行に影響を及ぼし、遊技興趣を低下させてしまう虞があった。
【手続補正５】
【補正対象書類名】明細書
【補正対象項目名】０００７
【補正方法】変更
【補正の内容】
【０００７】
上記した目的を達成するために、
本発明においては、
開閉可能な開閉部と、遊技領域が形成される遊技盤とを具備し、遊技領域に設けられる受入口に遊技球が入球したことによる抽選の結果に基づいて遊技の進行を行うことができる遊技機であって、
電子部品が実装される特定基板と、
第１鍵の操作によって第１の操作を行うことができる第１の装置と、
前記第１鍵とは別の第２鍵の操作によって第２の操作を行うことができると共に前記第２鍵の操作による信号ラインが電気的に前記電子部品に接続される第２の装置と、
を備え、
前記第１の装置は、当該遊技機の前面側から接触可能な箇所に設けられ、当該第１の装置の筐体が電気的に接地側へ接続され、
前記第２の装置は、当該遊技機の前面側から接触不能な箇所に設けられ、当該第２の装置の筐体が電気的に接地側へ接続されず絶縁されるものであり、
さらに、前記第２の装置は前記遊技盤の裏面側に設けられ、
前記特定基板は、遊技の進行を制御する遊技制御部を有し、
前記第２の操作は、前記遊技制御部による遊技の制御に関する設定値を設定する際に行われる操作であり、
前記遊技制御部は、当該遊技機の電源が投入される際に、前記設定値を設定可能な設定状態に制御可能である
ことを特徴とする。
【手続補正６】
【補正対象書類名】明細書
【補正対象項目名】０００８
【補正方法】削除
【補正の内容】
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
遊技球を用いた遊技が前側にて行われる遊技盤と、
該遊技盤が前方から着脱可能に取り付けられる枠本体と、
該枠本体の後側に設けられると共に、遊技機外部から遊技球を受け入れて下流側に誘導する遊技球供給部と、を備える遊技機であって、
前記遊技球供給部は、
遊技機外部からの遊技球を受け入れる球貯留部と、
該球貯留部に貯留されている遊技球を下流側に誘導するとともに、異物を落下させ得る放出孔が形成された球誘導部と、を有し、
前記枠本体は、
前記遊技盤から排出された遊技球を回収する回収部と、
前記回収部によって回収された遊技球を検出する回収検出部と、
前記回収部の前方に設けられ、前後に貫通して前記遊技盤が前方から取り付けられる盤取付用開口の下辺を形成し、前記遊技盤が載置される載置部と、
前記回収部の後方に配置された特定の遊技部品と、
前記載置部と前記回収部との間に設けられた第１段差部と、
前記回収部と前記特定の遊技部品との間に設けられた第２段差部と、を有し、
前記第２段差部の上端には、遊技機後方側に向けて上壁部が延設されており、該上壁部は、前記特定の遊技部品の上方に位置するものであり、
さらに、前記特定の遊技部品は、特定基板を有し、
前記特定基板は、前記上壁部とは別に所定の基板ボックスに収容されてなり、
さらに、前記回収検出部の検出結果を用いて、遊技に関する所定の演算を行う演算手段と、
前記演算手段の演算結果に基づいて所定情報を表示する所定情報表示手段と、備え、
前記演算手段の演算結果は、所定のラムクリア操作が行われても初期化されることなく保持される
ことを特徴とする遊技機。
【手続補正２】
【補正対象書類名】明細書
【補正対象項目名】０００７
【補正方法】変更
【補正の内容】
【０００７】
本発明は、
遊技球を用いた遊技が前側にて行われる遊技盤と、
該遊技盤が前方から着脱可能に取り付けられる枠本体と、
該枠本体の後側に設けられると共に、遊技機外部から遊技球を受け入れて下流側に誘導する遊技球供給部と、を備える遊技機であって、
前記遊技球供給部は、
遊技機外部からの遊技球を受け入れる球貯留部と、
該球貯留部に貯留されている遊技球を下流側に誘導するとともに、異物を落下させ得る放出孔が形成された球誘導部と、を有し、
前記枠本体は、
前記遊技盤から排出された遊技球を回収する回収部と、
前記回収部によって回収された遊技球を検出する回収検出部と、
前記回収部の前方に設けられ、前後に貫通して前記遊技盤が前方から取り付けられる盤取付用開口の下辺を形成し、前記遊技盤が載置される載置部と、
前記回収部の後方に配置された特定の遊技部品と、
前記載置部と前記回収部との間に設けられた第１段差部と、
前記回収部と前記特定の遊技部品との間に設けられた第２段差部と、を有し、
前記第２段差部の上端には、遊技機後方側に向けて上壁部が延設されており、該上壁部は、前記特定の遊技部品の上方に位置するものであり、
さらに、前記特定の遊技部品は、特定基板を有し、
前記特定基板は、前記上壁部とは別に所定の基板ボックスに収容されてなり、
さらに、前記回収検出部の検出結果を用いて、遊技に関する所定の演算を行う演算手段と、
前記演算手段の演算結果に基づいて所定情報を表示する所定情報表示手段と、備え、
前記演算手段の演算結果は、所定のラムクリア操作が行われても初期化されることなく保持される
ことを特徴とする。
【手続補正３】
【補正対象書類名】明細書
【補正対象項目名】０００８
【補正方法】削除
【補正の内容】
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
遊技球を用いた遊技が前側にて行われる遊技盤と、
該遊技盤が前方から着脱可能に取り付けられる枠本体と、
該枠本体の後側に設けられると共に、遊技機外部から遊技球を受け入れて下流側に誘導する遊技球供給部と、を備える遊技機であって、
前記遊技球供給部は、
遊技機外部からの遊技球を受け入れる球貯留部と、
該球貯留部に貯留されている遊技球を下流側に誘導するとともに、異物を落下させ得る放出孔が形成された球誘導部と、を有し、
前記遊技盤の後側には、複数の基板が設けられ、
前記複数の基板のうちの前記放出孔の下方に位置する特定の基板は、当該遊技機の後側にて前記放出孔よりも前側に位置するように配置され、
前記放出孔の下方には、該放出孔から落下した異物を受ける上面部を有する孔下部材が位置しており、
前記孔下部材の前記上面部は、前記放出孔よりも前側に位置している前記特定の基板の上方に設けられるものであり、
前記放出孔は複数設けられ、
前記複数の放出孔の下方には、前記孔下部材の前記上面部が位置する
ことを特徴とする遊技機。
【手続補正２】
【補正対象書類名】明細書
【補正対象項目名】０００７
【補正方法】変更
【補正の内容】
【０００７】
本発明は、
遊技球を用いた遊技が前側にて行われる遊技盤と、
該遊技盤が前方から着脱可能に取り付けられる枠本体と、
該枠本体の後側に設けられると共に、遊技機外部から遊技球を受け入れて下流側に誘導する遊技球供給部と、を備える遊技機であって、
前記遊技球供給部は、
遊技機外部からの遊技球を受け入れる球貯留部と、
該球貯留部に貯留されている遊技球を下流側に誘導するとともに、異物を落下させ得る放出孔が形成された球誘導部と、を有し、
前記遊技盤の後側には、複数の基板が設けられ、
前記複数の基板のうちの前記放出孔の下方に位置する特定の基板は、当該遊技機の後側にて前記放出孔よりも前側に位置するように配置され、
前記放出孔の下方には、該放出孔から落下した異物を受ける上面部を有する孔下部材が位置しており、
前記孔下部材の前記上面部は、前記放出孔よりも前側に位置している前記特定の基板の上方に設けられるものであり、
前記放出孔は複数設けられ、
前記複数の放出孔の下方には、前記孔下部材の前記上面部が位置する
ことを特徴とする。
【手続補正３】
【補正対象書類名】明細書
【補正対象項目名】０００８
【補正方法】削除
【補正の内容】
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
遊技球を用いた遊技が行われる遊技機であって、
遊技球を用いた遊技が前側にて行われるとともに前記遊技に応じた演出を行う表示装置を備える遊技盤と、
該遊技盤が前方から着脱可能に取り付けられる枠本体と、
該枠本体の後側に設けられると共に、外部から遊技球を受け入れる球貯留部と、
前記球貯留部に貯留されている遊技球を左右方向の一方側に流下させる左右方向通路部と、
前記左右方向通路部を流下した遊技球を下方に位置する球払出装置に向けて流下させる高さ方向通路部と、
前記左右方向通路部と前記高さ方向通路部との屈曲部分に設けられ、不透明な部材で構成される通路補助部と、備え、
前記左右方向通路部と前記高さ方向通路部との少なくとも一部は、透過性を有する部位を有し、
前記左右方向通路部および前記高さ方向通路部は、前記枠本体から前記遊技盤が離脱した状態で当該遊技機の前側から確認可能に設けられ、
前記通路補助部は、前記枠本体から前記遊技盤が離脱した状態で、前記透過性を有する部位を透して当該遊技機の前側から視認可能であり、
さらに、前記通路補助部は、前記左右方向通路部の側壁の外側に位置するように延出する延出部を有し、
前記枠本体から前記遊技盤が離脱した状態では、前記左右方向通路部の内部に遊技球が存在していたとしても、前記透過性を有する部位を透して、前記通路補助部における前記延出部を当該遊技機の前側から視認できる
ことを特徴とする遊技機。
【手続補正２】
【補正対象書類名】明細書
【補正対象項目名】０００７
【補正方法】変更
【補正の内容】
【０００７】
本発明は、
遊技球を用いた遊技が行われる遊技機であって、
遊技球を用いた遊技が前側にて行われるとともに前記遊技に応じた演出を行う表示装置を備える遊技盤と、
該遊技盤が前方から着脱可能に取り付けられる枠本体と、
該枠本体の後側に設けられると共に、外部から遊技球を受け入れる球貯留部と、
前記球貯留部に貯留されている遊技球を左右方向の一方側に流下させる左右方向通路部と、
前記左右方向通路部を流下した遊技球を下方に位置する球払出装置に向けて流下させる高さ方向通路部と、
前記左右方向通路部と前記高さ方向通路部との屈曲部分に設けられ、不透明な部材で構成される通路補助部と、備え、
前記左右方向通路部と前記高さ方向通路部との少なくとも一部は、透過性を有する部位を有し、
前記左右方向通路部および前記高さ方向通路部は、前記枠本体から前記遊技盤が離脱した状態で当該遊技機の前側から確認可能に設けられ、
前記通路補助部は、前記枠本体から前記遊技盤が離脱した状態で、前記透過性を有する部位を透して当該遊技機の前側から視認可能であり、
さらに、前記通路補助部は、前記左右方向通路部の側壁の外側に位置するように延出する延出部を有し、
前記枠本体から前記遊技盤が離脱した状態では、前記左右方向通路部の内部に遊技球が存在していたとしても、前記透過性を有する部位を透して、前記通路補助部における前記延出部を当該遊技機の前側から視認できる
ことを特徴とする。
【手続補正３】
【補正対象書類名】明細書
【補正対象項目名】０００８
【補正方法】削除
【補正の内容】
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行するものであり、前記当り結果が導出される確率に関する設定情報が設定されることで遊技の進行が可能になる遊技機において、
当該遊技機の電源が投入されるときに第１の操作が行われる場合に、前記設定情報を設定可能な設定モードを発生させる設定モード発生手段と、
当該遊技機の電源が投入されるときに第２の操作が行われる場合に、前記設定情報を確認可能な確認モードを発生させる確認モード発生手段と、
前記抽選の結果に基づいて所定の変動パターンテーブルから前記図柄の変動表示に関する変動パターンを決定する変動パターン決定手段と、
所定の演出を実行可能な演出実行手段と、を備え、
前記変動パターン決定手段は、当該遊技機の電源投入後に前記設定情報が設定されて前記設定モードを終了した場合に、該設定モードの終了後に前記図柄の変動表示が所定回数行われることで、通常とは異なる特定の変動パターンテーブルを用いて前記変動パターンを決定することが可能であり、
前記演出実行手段は、前記特定の変動パターンテーブルを用いて前記変動パターンが決定された場合に特定演出を実行可能であり、
前記設定モードの終了後に計数された前記図柄の変動表示の回数は、当該遊技機の電源投入後に前記確認モードが発生しても初期化されることなく保持され、
さらに、前記図柄の変動表示の結果として当り結果が導出された場合には、前記設定モードの終了後に計数された前記図柄の変動表示の回数が初期化される
ことを特徴とする遊技機。
【手続補正２】
【補正対象書類名】明細書
【補正対象項目名】０００２
【補正方法】変更
【補正の内容】
【０００２】
近年、パチンコ機等の遊技機には、遊技性をより多様にすべく、ホール管理者による設定関連操作によって、当り確率等に関する設定情報を設定可能としている（例えば、特許文献１参照）。
【手続補正３】
【補正対象書類名】明細書
【補正対象項目名】０００３
【補正方法】変更
【補正の内容】
【０００３】
【特許文献１】特開平６−９１０４９号公報
【手続補正４】
【補正対象書類名】明細書
【補正対象項目名】０００４
【補正方法】変更
【補正の内容】
【０００４】
しかしながら、例えば、単に設定情報を設けただけでは遊技の変化が乏しく、遊技興趣の低下を招く虞があった。
【手続補正５】
【補正対象書類名】明細書
【補正対象項目名】０００５
【補正方法】変更
【補正の内容】
【０００５】
本発明は、上記した事情に鑑みなされたもので、その目的とするところは、新たな態様の制御によって遊技機における遊技興趣の低下を抑制することが可能な遊技機を提供することにある。
【手続補正６】
【補正対象書類名】明細書
【補正対象項目名】０００７
【補正方法】変更
【補正の内容】
【０００７】
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行するものであり、前記当り結果が導出される確率に関する設定情報が設定されることで遊技の進行が可能になる遊技機において、
当該遊技機の電源が投入されるときに第１の操作が行われる場合に、前記設定情報を設定可能な設定モードを発生させる設定モード発生手段と、
当該遊技機の電源が投入されるときに第２の操作が行われる場合に、前記設定情報を確認可能な確認モードを発生させる確認モード発生手段と、
前記抽選の結果に基づいて所定の変動パターンテーブルから前記図柄の変動表示に関する変動パターンを決定する変動パターン決定手段と、
所定の演出を実行可能な演出実行手段と、を備え、
前記変動パターン決定手段は、当該遊技機の電源投入後に前記設定情報が設定されて前記設定モードを終了した場合に、該設定モードの終了後に前記図柄の変動表示が所定回数行われることで、通常とは異なる特定の変動パターンテーブルを用いて前記変動パターンを決定することが可能であり（例えば段落１８５１）、
前記演出実行手段は、前記特定の変動パターンテーブルを用いて前記変動パターンが決定された場合に、特定演出を実行可能であり（例えば段落１８５４の示唆演出Ａ１や段落１８５７の示唆演出Ａ２）、
前記設定モードの終了後に計数された前記図柄の変動表示の回数は、当該遊技機の電源投入後に前記確認モードが発生しても初期化されることなく保持され、（例えば段落１８６６等）
さらに、前記図柄の変動表示の結果として当り結果が導出された場合には、前記設定モードの終了後に計数された前記図柄の変動表示の回数が初期化される（例えば段落１８６８等）
ことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
このように、本発明によれば、遊技興趣の低下を抑制することが可能な遊技機を提供することができる。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
１００ｇあたりのマグネシウム含有量が２５００ｍｇ乃至６０００ｍｇおよびカルシウム含有量が５００ｍｇ乃至２０００ｍｇであり、
カルシウム含有量に対するマグネシウム含有量の比率が２〜７であり、且つ
硬度が１４４０００ｍｇ／Ｌ乃至３８３０００ｍｇ／Ｌであるにがりを、
健康食品全重量に対して０．８重量％乃至１．５重量％含む、
ことを特徴とするエクオール産生細菌を増加および、活性化するための腸内フローラ改善健康味噌。
【手続補正２】
【補正対象書類名】明細書
【補正対象項目名】発明の名称
【補正方法】変更
【補正の内容】
【発明の名称】腸内フローラ改善健康味噌
【手続補正書】
【提出日】令和3年2月18日(2021.2.18)
【手続補正１】
【補正対象書類名】特許請求の範囲
【補正対象項目名】請求項５
【補正方法】変更
【補正の内容】
【請求項５】
前記複数のハンドのうち前記教示データにおいて使用されるハンドを検知し、前記検知されたハンドに対する前記原点ずれ量と前記座標ずれ量とを使用して前記教示データを修正する、請求項１乃至４のいずれか１項に記載の位置情報復元方法。
【手続補正２】
【補正対象書類名】明細書
【補正対象項目名】００１４
【補正方法】変更
【補正の内容】
【００１４】
本発明では、複数のハンドのうち教示データにおいて使用されるハンドを検知し、検知されたハンドに対する原点ずれ量と座標ずれ量とを使用してその教示データを修正することが好ましい。このように教示データを修正することにより、その教示データにおいて実際に使用するハンドに関するずれ量に基づいて教示データが修正されることとなるので、より適切に教示データを修正することができるようになる。このとき、ロボット交換の前後での所定位置座標のずれが許容範囲以内となるまで、原点ずれ量と座標ずれ量とを用いて教示データを修正し修正後の教示データに基づいてロボットを原点位置から所定位置に移動させて座標ずれ量を再計算することを繰り返すことができる。このような繰り返しの計算によって、教示データを修正する精度を高めることができる。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
物品を把持する把持部を有し、前記把持部が把持した前記物品を移載先に移載するロボットハンドと、
複数の前記物品が配置される物品領域に前記把持部を差し込んで予め定められた量の前記物品を把持し、把持した前記物品を前記移載先に移載するように前記ロボットハンドの動作を制御する制御部と、
を備え、
前記制御部は、前記把持部が前記物品領域に差し込まれ、前記物品が前記把持部の周囲に配置されるときの前記把持部の位置において、前記把持部を一旦閉じた後に前記把持部を開く開閉動作を、１回以上実行した後に、前記把持部を閉じて予め定められた量の前記物品を把持するように前記ロボットハンドの動作を制御する、物品移載装置。
【請求項２】
前記制御部は、前記把持部が前記物品領域に差し込まれたときの前記把持部の位置において、前記把持部を一旦閉じた後に前記把持部を開きその後に再び前記把持部を閉じるまでの間に、前記把持部の差し込み方向に沿った軸周りに前記把持部が予め定められた第１角度回転するように前記ロボットハンドの動作を制御する、請求項１に記載の物品移載装置。
【請求項３】
前記制御部は、前記把持部が前記物品領域に差し込まれたときの前記把持部の位置において、前記把持部が閉じた状態のときに、前記把持部の差し込み方向に沿った軸周りに前記把持部が予め定められた第２角度回転するように前記ロボットハンドの動作を制御する、請求項１又は２に記載の物品移載装置。
【請求項４】
前記制御部は、前記把持部が前記物品領域に差し込まれた状態で前記把持部を一旦閉じた後に前記把持部を開くときの開き量が、前記物品領域に前記把持部が差し込まれるときの前記把持部の開き量よりも小さくなるように前記ロボットハンドの動作を制御する、請求項１〜３のいずれか一項に記載の物品移載装置。
【請求項５】
前記制御部は、前記把持部を前記物品領域に差し込み、前記把持部を一旦閉じた後に前記把持部を開く開閉動作を１回以上実行した後に、前記把持部を閉じて予め定められた量の前記物品を把持して前記移載先に移載する一連の動作を、複数回連続して実行するように前記ロボットハンドの動作を制御する、請求項１〜４のいずれか一項に記載の物品移載装置。
【手続補正書】
【提出日】令和3年3月10日(2021.3.10)
【手続補正１】
【補正対象書類名】特許請求の範囲
【補正対象項目名】請求項４
【補正方法】変更
【補正の内容】
【請求項４】
前記判定部にて標準偏差σが収まる所定値は１．０〜３．５ｄＢの範囲の値である、請求項１〜３のいずれかに記載の視野検査装置。
【手続補正２】
【補正対象書類名】明細書
【補正対象項目名】０００２
【補正方法】変更
【補正の内容】
【０００２】
視野検査の際に、過去の視野検査の種類と異なる種類の視野検査を行う場合、過去の視野検査の感度分布データから、これから行うべき視野検査の対応する視野座標における視標の初期輝度を、感度分布データに示された感度に等しいか近い値の輝度に演算決定する技術が知られている（特許文献１の［請求項１］）。
【手続補正３】
【補正対象書類名】明細書
【補正対象項目名】００３２
【補正方法】変更
【補正の内容】
【００３２】
そのため本明細書においては、本実施形態の視野検査装置を用いた検査の終了時に得られる一つの検査値（及び、後で詳述するが判定工程（５）の標準偏差σである所定値の決定に用いられるｘの値）に加え、従来の視野検査の終了時に得られる一つの検査値のことを、推定閾値と称する。
【手続補正４】
【補正対象書類名】明細書
【補正対象項目名】００３５
【補正方法】変更
【補正の内容】
【００３５】
「過去の視野検査結果に対する信頼性を示す指標」とは、本出願人による特開２０１７−１９２５６４号公報に記載の信頼性指標のことである。本明細書においては、信頼性指標は、信頼性の高さを示す指標であり、検査結果から離れた数値条件における、通常ではあり得ない回答の数に基づき得られる結果である。
【手続補正５】
【補正対象書類名】明細書
【補正対象項目名】００３６
【補正方法】変更
【補正の内容】
【００３６】
信頼性指標については特開２０１７−１９２５６４号公報に記載している。特開２０１７−１９２５６４号公報における信頼性指標の記載は、本明細書において全て記載されているものとする。
【手続補正６】
【補正対象書類名】明細書
【補正対象項目名】００８１
【補正方法】変更
【補正の内容】
【００８１】
＜３．視野検査プログラム＞
上記の＜１．視野検査装置＞をコンピュータ装置により実行する視野検査プログラムにも本発明の技術的特徴が反映されている。具体的に言うと、本実施形態の視野検査プログラムは、先ほど述べた第１の確率密度関数取得部、刺激閾値決定部、検査結果取得部、第２の確率密度関数取得部、及び判定部としてコンピュータ装置を機能させるプログラムである。判定部における判定内容は、＜１．視野検査装置＞にて述べた内容と同様なので省略する。
【手続補正７】
【補正対象書類名】明細書
【補正対象項目名】０１０７
【補正方法】変更
【補正の内容】
【０１０７】
２６ｄＢ以上の検査結果が得られたので、第２の確率密度関数取得工程（４）により、確率密度関数ｆ（ｘ３）にて２６ｄＢ未満の確率密度を減じてなる確率密度関数ｆ（ｘ４）を得た。
図５（ｄ）は、実施例１における、３回目の視野検査後の確率密度関数ｆ（ｘ４）を示すプロットである。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された場合は、当該説明演出で説明された種類の前記付与示唆演出が実行される可能性を、前記説明演出の表示領域を示す枠画像の色彩を利用して示唆可能である
ことを特徴とする遊技機。
【請求項２】
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された場合は、当該説明演出で説明された種類の前記付与示唆演出が実行される可能性を、前記説明演出の表示領域を示す枠画像の形状を利用して示唆可能である
ことを特徴とする遊技機。
【請求項３】
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された場合に、当該説明演出で説明された種類の前記付与示唆演出が実行される可能性は、当該説明演出で第１の場面が表示された場合と当該説明演出で第２の場面が表示された場合とで異なる
ことを特徴とする遊技機。
【請求項４】
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された後に当該説明演出で説明された種類の前記付与示唆演出が実行される場合における前記特典が付与される可能性は、当該説明演出で第１の場面が表示された場合と当該説明演出で第２の場面が表示された場合とで異なる
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された場合は、当該説明演出で説明された種類の前記付与示唆演出が実行される可能性を、前記説明演出の表示領域を示す枠画像の色彩を利用して示唆可能である
ことを特徴とする。
また、本発明の遊技機は、
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された場合は、当該説明演出で説明された種類の前記付与示唆演出が実行される可能性を、前記説明演出の表示領域を示す枠画像の形状を利用して示唆可能である
こととしてもよい。
また、本発明の遊技機は、
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された場合に、当該説明演出で説明された種類の前記付与示唆演出が実行される可能性は、当該説明演出で第１の場面が表示された場合と当該説明演出で第２の場面が表示された場合とで異なる
こととしてもよい。
また、本発明の遊技機は、
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能であり、
前記説明演出が実行された後に当該説明演出で説明された種類の前記付与示唆演出が実行される場合における前記特典が付与される可能性は、当該説明演出で第１の場面が表示された場合と当該説明演出で第２の場面が表示された場合とで異なる
こととしてもよい。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能である
ことを特徴とする遊技機。
【請求項２】
請求項１に記載の遊技機であって、
前記説明演出が実行された場合であっても、当該説明演出で説明された種類の前記付与示唆演出を実行可能である
ことを特徴とする遊技機。
【請求項３】
請求項２に記載の遊技機において、
識別情報を変動表示させる識別情報表示手段を備え、
前記特典付与手段は、前記識別情報が特定態様で表示されることに基づいて、可変入球口が入球可能状態となる特定遊技を前記特典として実行する手段であり、
前記付与示唆演出は、前記識別情報が特定態様で表示される可能性を示唆する演出であり、
前記識別情報の変動表示中に前記説明演出が実行された場合であっても、当該識別情報の変動表示が終了する前に、当該説明演出で説明された種類の前記付与示唆演出を開始することが可能である
ことを特徴とする遊技機。
【請求項４】
請求項２または請求項３に記載の遊技機において、
前記説明演出の実行中に、当該説明演出で説明された種類の前記付与示唆演出を開始することが可能である
ことを特徴とする遊技機。
【請求項５】
請求項２乃至請求項４の何れか一項に記載の遊技機において、
前記説明演出が実行された場合に、当該説明演出で説明された種類の前記付与示唆演出を実行するに際しては、
前記説明演出が表示されていた表示領域を拡大させて、当該拡大させた表示領域に前記付与示唆演出を表示する
ことを特徴とする遊技機。
【請求項６】
請求項２乃至請求項５の何れか一項に記載の遊技機において、
前記説明演出は、前記複数種類の付与示唆演出のうちの所定の種類の演出の特定場面を表示する演出であり、
前記説明演出が実行された場合に、当該説明演出で説明された種類の前記付与示唆演出を実行するに際しては、
当該説明演出で表示された前記特定場面から当該付与示唆演出を開始する
ことを特徴とする遊技機。
【請求項７】
請求項２乃至請求項６の何れか一項に記載の遊技機において、
前記説明演出が実行された場合は、当該説明演出で説明された種類の前記付与示唆演出が実行される可能性を示唆する実行示唆演出を実行可能である
ことを特徴とする遊技機。
【請求項８】
請求項７に記載の遊技機において、
前記実行示唆演出は、前記説明演出が表示されている表示領域を移動させる演出である
ことを特徴とする遊技機。
【請求項９】
請求項２乃至請求項８の何れか一項に記載の遊技機において、
前記付与示唆演出として、少なくとも第１演出と、前記第１演出と異なる第２演出とを実行可能であり、
前記第１演出の内容を説明する前記説明演出が実行された場合に当該第１演出を実行する確率よりも、前記第２演出の内容を説明する前記説明演出が実行された場合に当該第２演出を実行する確率の方が高い
ことを特徴とする遊技機。
【請求項１０】
請求項２乃至請求項８の何れか一項に記載の遊技機において、
前記付与示唆演出として、少なくとも第１演出と、前記第１演出と異なる第２演出とを実行可能であり、
前記第１演出が行われる場合よりも前記第２演出が行われる場合の方が遊技者に前記特典を付与する確率が高く、
前記第１演出の内容を説明する前記説明演出が実行された場合に当該第１演出を実行する確率よりも、前記第２演出の内容を説明する前記説明演出が実行された場合に当該第２演出を実行する確率の方が高い
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
所定の付与条件が成立すると遊技者に特典を付与する特典付与手段と、
前記特典が付与される可能性を示唆する付与示唆演出を実行可能な付与示唆演出実行手段と、
を備え、
前記付与示唆演出として、複数種類の演出を実行可能であり、
前記複数種類の付与示唆演出のうちの所定の種類の演出について、その内容を説明する説明演出を実行可能である
ことを特徴とする。
また、本発明の遊技機は、
前記説明演出が実行された場合であっても、当該説明演出で説明された種類の前記付与示唆演出を実行可能である
こととしてもよい。
また、本発明の遊技機は、
識別情報を変動表示させる識別情報表示手段を備え、
前記特典付与手段は、前記識別情報が特定態様で表示されることに基づいて、可変入球口が入球可能状態となる特定遊技を前記特典として実行する手段であり、
前記付与示唆演出は、前記識別情報が特定態様で表示される可能性を示唆する演出であり、
前記識別情報の変動表示中に前記説明演出が実行された場合であっても、当該識別情報の変動表示が終了する前に、当該説明演出で説明された種類の前記付与示唆演出を開始することが可能である
こととしてもよい。
また、本発明の遊技機は、
前記説明演出の実行中に、当該説明演出で説明された種類の前記付与示唆演出を開始することが可能である
こととしてもよい。
また、本発明の遊技機は、
前記説明演出が実行された場合に、当該説明演出で説明された種類の前記付与示唆演出を実行するに際しては、
前記説明演出が表示されていた表示領域を拡大させて、当該拡大させた表示領域に前記付与示唆演出を表示する
こととしてもよい。
また、本発明の遊技機は、
前記説明演出は、前記複数種類の付与示唆演出のうちの所定の種類の演出の特定場面を表示する演出であり、
前記説明演出が実行された場合に、当該説明演出で説明された種類の前記付与示唆演出を実行するに際しては、
当該説明演出で表示された前記特定場面から当該付与示唆演出を開始する
こととしてもよい。
また、本発明の遊技機は、
前記説明演出が実行された場合は、当該説明演出で説明された種類の前記付与示唆演出が実行される可能性を示唆する実行示唆演出を実行可能である
こととしてもよい。
また、本発明の遊技機は、
前記実行示唆演出は、前記説明演出が表示されている表示領域を移動させる演出である
こととしてもよい。
また、本発明の遊技機は、
前記付与示唆演出として、少なくとも第１演出と、前記第１演出と異なる第２演出とを実行可能であり、
前記第１演出の内容を説明する前記説明演出が実行された場合に当該第１演出を実行する確率よりも、前記第２演出の内容を説明する前記説明演出が実行された場合に当該第２演出を実行する確率の方が高い
こととしてもよい。
また、本発明の遊技機は、
前記付与示唆演出として、少なくとも第１演出と、前記第１演出と異なる第２演出とを実行可能であり、
前記第１演出が行われる場合よりも前記第２演出が行われる場合の方が遊技者に前記特典を付与する確率が高く、
前記第１演出の内容を説明する前記説明演出が実行された場合に当該第１演出を実行する確率よりも、前記第２演出の内容を説明する前記説明演出が実行された場合に当該第２演出を実行する確率の方が高い
こととしてもよい。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
水平面に向けて垂直程度の方向を示す、内空の径が同じ長さか上側の方が長い形状の内筒部と、前記内筒部の上端箇所を延長し外側へ捲り曲げて又は前記上端箇所への接合か成形固定によって外筒部を設け、前記外筒部は前記内筒部の径より長い径を保ち下端へ向き、前記外筒部の縦向きの長さは前記内筒部より短いことを特徴とする、二重型コップホルダー。
【請求項２】
棒状、逆雨樋状、半円柱状、管状等の外筒部を、内筒部上端から外側に突き出して設けたことを特徴とする、請求項１記載の二重型コップホルダー。
【請求項３】
帯状の扇形か長方形のシート体の長い側の端辺箇所に接合箇所を設け、前記端辺箇所を平面状に重ね繋ぎ合わせることによって、水平面へ向けて垂直に近い方向を示す、内筒部の内空の径が同幅か上側の方が長い筒体かカップ体を形成し、前記筒体かカップ体の側面部の上端側に、数箇所の欠け所を設け、又は側面部の上端から外側に突き出して、棒状、逆雨樋状、半円柱状、管状等の突起体を設けたことを特徴とする、二重型コップホルダー。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続され、
前記複数の構成手段は、それぞれが前記電気配線と接触し得るよう構成され、
前記張出部は、互いに間隔を空けて配置され、
前記張出部は、前記電気配線が前記案内経路から外れることを防止可能に構成されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続され、前記複数の構成手段は、それぞれが前記電気配線と接触し得るよう構成され、前記張出部は、互いに間隔を空けて配置され、前記張出部は、前記電気配線が前記案内経路から外れることを防止可能に構成される。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】１０３５
【補正方法】変更
【補正の内容】
【１０３５】
遊技機Ａ１からＡ７、Ｂ１からＢ１０、Ｃ１からＣ８、Ｄ１からＤ８、Ｅ１からＥ６、Ｆ１からＦ８、Ｇ１からＧ８及びＨ１からＨ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
変位部材に電気配線を仮留めする遊技機がある（特許文献１：特開２０１２−１５７４７４号公報）。
しかしながら、上述した従来の遊技機では、電気配線の配置の観点で改善の余地があるという問題点があった。本技術的思想は、上記例示した問題点を解決するためになされたものであり、電気配線の配置を改善することができる遊技機を提供することを目的とする。
＜手段＞
この目的を達成するために技術的思想１の遊技機は、電気配線を案内可能な案内経路を構成する構成手段を備え、前記構成手段は、前記電気配線を前記案内経路に好適に配置可能に構成される。
技術的思想２の遊技機は、技術的思想１記載の遊技機において、前記案内経路は、局所的に所定方向幅が縮小される縮小部を備え、断面形状が複数種類で構成される。
技術的思想３の遊技機は、技術的思想２記載の遊技機において、前記縮小部に配置される前記電気配線は、第１方向視における幅が短くなるよう構成され、前記構成手段は、前記縮小部へ前記電気配線を案内する箇所に、前記電気配線の前記第１方向視における幅を短縮可能に構成される配線調整手段を備える。
＜効果＞
技術的思想１記載の遊技機によれば、電気配線の配置を改善することができる。
技術的思想２記載の遊技機によれば、技術的思想１記載の遊技機の奏する効果に加え、案内経路に縮小部が配設されることで電気配線の配置を改善することができる。
技術的思想３記載の遊技機によれば、技術的思想２記載の遊技機の奏する効果に加え、電気配線の配置を段階的に変化させることができる。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続され、
前記張出部は、互いに間隔を空けて配置され、
前記構成手段は、樹脂材料から構成されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００３
【補正方法】変更
【補正の内容】
【０００３】
【特許文献１】特開２０１２−１５７４７４号公報
【手続補正４】
【補正対象書類名】明細書
【補正対象項目名】０００４
【補正方法】変更
【補正の内容】
【０００４】
しかしながら、上述した従来の遊技機では、電気配線の配置の観点で改善の余地があるという問題点があった。本発明は、上記例示した問題点を解決するためになされたものであり、電気配線の配置を改善することができる遊技機を提供することを目的とする。
【手続補正５】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続され、前記張出部は、互いに間隔を空けて配置され、前記構成手段は、樹脂材料から構成される。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
請求項１記載の遊技機によれば、電気配線の配置を改善することができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】１０３５
【補正方法】変更
【補正の内容】
【１０３５】
遊技機Ａ１からＡ７、Ｂ１からＢ１０、Ｃ１からＣ８、Ｄ１からＤ８、Ｅ１からＥ６、Ｆ１からＦ８、Ｇ１からＧ８及びＨ１からＨ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
複数の回転手段と、それら複数の回転手段を回転させる駆動力を発生する駆動手段とを備える遊技機がある（特許文献１：特開２００７−１３０２６１号公報）。
しかしながら、上述した従来の遊技機では、装置が第１方向視で大型化するという問題点があった。本技術的思想は、上記例示した問題点を解決するためになされたものであり、装置の小型化を図ることができる遊技機を提供することを目的とする。
＜手段＞
この目的を達成するために技術的思想１の遊技機は、所定軸を中心に回転可能に構成される回転手段と、その回転手段を回転させる駆動力を発生する駆動手段とを備える遊技機において、前記回転手段の位置を検出可能に構成される検出手段を備え、前記検出手段は、第１方向視で前記回転手段の内方に配置されるよう構成される。
技術的思想２の遊技機は、技術的思想１記載の遊技機において、前記回転手段を回転可能に支持する支持手段を備え、その支持手段は、前記駆動手段を支持する。
技術的思想３の遊技機は、技術的思想１又は２に記載の遊技機において、前記駆動手段は、前記回転手段の内側に収容される。
＜効果＞
技術的思想１記載の遊技機によれば、装置の小型化を図ることができる。
技術的思想２記載の遊技機によれば、技術的思想１記載の遊技機の奏する効果に加え、支持手段を含めた装置の小型化を図ることができる。
技術的思想３記載の遊技機によれば、技術的思想１又は２に記載の遊技機の奏する効果に加え、駆動手段を回転手段の内側に収めることができる。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続され、
前記張出部は、前記電気配線が前記案内経路から外れることを防止可能に構成され、
前記構成手段は、樹脂材料から構成されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００３
【補正方法】変更
【補正の内容】
【０００３】
【特許文献１】特開２０１２−１５７４７４号公報
【手続補正４】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続され、前記張出部は、前記電気配線が前記案内経路から外れることを防止可能に構成され、前記構成手段は、樹脂材料から構成される。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】１０３５
【補正方法】変更
【補正の内容】
【１０３５】
遊技機Ａ１からＡ７、Ｂ１からＢ１０、Ｃ１からＣ８、Ｄ１からＤ８、Ｅ１からＥ６、Ｆ１からＦ８、Ｇ１からＧ８及びＨ１からＨ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
筒状部材に電気配線が挿通されるよう構成される遊技機がある（特許文献１：特開２０１５−１５９８３７号公報）。
しかしながら、上述した従来の遊技機では、電気配線の配置の観点で改善の余地があるという問題点があった。本技術的思想は、上記例示した問題点を解決するためになされたものであり、電気配線の配置を改善することができる遊技機を提供することを目的とする。
＜手段＞
この目的を達成するために技術的思想１の遊技機は、電気配線が挿通される開放部を有する配線支持手段を備える遊技機において、前記開放部に挿通された電気配線の移動を制限させる制限手段を備える。
技術的思想２の遊技機は、技術的思想１記載の遊技機において、前記制限手段は、前記開放部の内側へ張り出す複数の張出部を備え、それら複数の張出部の間に前記電気配線を配置可能に構成される。
技術的思想３の遊技機は、技術的思想２記載の遊技機において、前記配線支持手段は、前記電気配線が案内される案内手段に固定される固定部を備え、その固定部は、前記張出部に配設される。
＜効果＞
技術的思想１記載の遊技機によれば、電気配線の配置を改善することができる。
技術的思想２記載の遊技機によれば、技術的思想１記載の遊技機の奏する効果に加え、電気配線の配置の改善を開放部の内側の領域で実行することができる。
技術的思想３記載の遊技機によれば、技術的思想２記載の遊技機の奏する効果に加え、張出部を固定部と兼用することができる。